(57)【要約】【課題】切断刃の支持構造を簡素にする。指掛けの収納構造を簡素かつ堅牢にする。【解決手段】葉巻を受け入れる開口１およびその向きｚと直交するｙ方向に延びるプレート案内空間２を持つベース３，該空間２にあってｙ方向に移動可であって、葉巻をｙ方向に横断するための切断刃４があるプレート５、および、該プレート５に結合した指掛け６、を備えるカッターにおいて、プレート５の、常に空間２にある先端７ａは、空間２に対して出入りする後端８ａよりも、ｘ方向に幅広であり；ベース３は、ｙ方向に延び先端７ａを受け入れる溝９ａを持ち、この溝９ａは、切断刃４が、開口１を外れた退避位置（図３のａ）から、開口１を横切った切断完了位置（図３のｂ）まで移動するときの幅広の先端７ａの移動は止めず、退避位置から更に退避移動方向への移動は止める長さである；ことを特徴とする。【選択図】　図３
2004113221.tif 000002
【特許請求の範囲】
【請求項１】
切断対象物を受け入れる開口および該開口の向きｚと直交するｙ方向に延びるプレート案内空間を持つベース部材，該案内空間にあってｙ方向に移動可であって、前記開口に差し込まれた切断対象物をｙ方向に横断するための切断刃があるプレート、および、該プレートに結合した指掛け、を備えるカッターにおいて、
前記プレートの、常にベース部材の前記案内空間にある先端側は、前記案内空間に対して出入りする後端側よりも、ｘ方向に幅広であり；前記ベース部材は、ｙ方向に延び前記幅広の先端側を受け入れる溝を持ち、この溝は、前記プレートの切断刃が、前記開口を外れた退避位置から、開口を横切った切断完了位置まで移動するときの前記幅広の先端側の移動は止めず、退避位置から更に退避移動方向への移動は止める長さである；ことを特徴とするカッター。
【請求項２】
前記指掛けは、蝶番で、前記ベース部材に倒伏した収納姿勢から、倒伏から起立しそして倒伏姿勢に対して略１８０度回動した使用姿勢に回動可に、前記プレートに固着されている、請求項１に記載のカッター。
【請求項３】
前記溝は、前記切断刃が退避位置にあるときの前記幅広の先端側のｙ位置から、前記ベース部材の一端面まで延びる、請求項１又は２に記載のカッター。
【請求項４】
ベース部材の前記一端面から案内空間に挿入されそれを通過した前記プレートの前記後端側に、前記指掛けが組付けられ、組付け具がベース部材の他端面に当たることにより、前記プレートの切断方向の移動によるベース部材からの抜けが妨げられる、請求項３に記載のカッター。
【請求項５】
前記プレート，指掛けおよび溝を、前記開口の中心に関して略対称にｙ方向に相対向する配置で１対有し、対のプレートはｚ方向に重なり各先端部に略半円形の切断刃を持つ、請求項１乃至４のいずれかに記載のカッター。
【発明の詳細な説明】
【０００１】
【発明の属する技術分野】
本発明は、カッターに関し、特に、これに限定する意図では無いが、葉巻の先端を切除するに適したカッターに関する。
【０００２】
【従来の技術】
【特許文献１】特開２０００−２７９１５６号公報には、葉巻通し穴に差し込まれた葉巻を相対向方向に横断する２枚の切断刃を、横断方向に直交する引き切り方向にカーブしたカム溝に沿って移動するようにピンで案内して、切断刃で横断方向に押し切りかつそれと直交方向に引き切る構造が開示されている。各切断刃は、先端に略半円弧状の刃があって後端に指掛けがあるものであり、親指を一方の指掛けの指通し穴に、人差し指を他方の指掛けの指通し穴に差し込んで、両指間の空間を広げるように指を開くと、２枚の切断刃の刃先が互いに逆方向に葉巻通し穴から退避し、葉巻通し穴に葉巻の先端を挿入することができる。両指間の空間を狭くするように指を折ると、２枚の切断刃の刃先が互いに逆方向に移動して葉巻通し穴の葉巻を横断し、これにより葉巻の先端が切断される。
【特許文献２】特開平１１−５７２４９号公報は、カッターの収納形状をコンパクトにするために、指掛けを、切断刃から分離してピンで回動可に切断刃に結合している。通常はカバーの内部に収まっているが、使用するときには該ピンを中心にカバーの平板面に沿って水平回動してカバー板の外に露出する。
【特許文献３】特開平９−２８９８８５号公報は、一対の指掛けの相対向方向の移動によって、それに直交する方向に開閉する一対の挟み刃が開閉する、鋏み切りタイプの葉巻カッターを提示している。
【０００３】
【発明が解決しようとする課題】
何れのカッターも、切断刃の支持構造が複雑で、部品の製造コストと組み立てコストが高いので、簡素な構造が望まれる。また、特許文献２のカッターは、カッターの収納形状をコンパクトにするために、指掛けを、切断刃から分離して、ピンを中心にカバーの平板面に沿って回動してカバー板の裏から外に露出し、そして外からカバー板の裏に廻り込むようにしている。切断刃に立てた一本のピンだけでユーザが加える力を指掛けから切断刃に伝える構造は脆弱であるので、指掛けを廻してカバー板の外に引き出した使用可状態で指掛けを切断刃に係止する別の固定構造も併用しており、指掛けの収納／引き出しのための構造が複雑になっている。
【０００４】
本発明は、切断刃の支持構造を簡素にすることを第１の目的とし、指掛けの収納のための切断刃に対する指掛けの連結構造を簡素かつ堅牢にすることを第２の目的とする。
【０００５】
【課題を解決するための手段】
（１）切断対象物を受け入れる開口（１）および該開口の向きｚと直交するｙ方向に延びるプレート案内空間（２）を持つベース部材（３），該案内空間（２）にあってｙ方向に移動可であって、前記開口（１）に差し込まれた切断対象物をｙ方向に横断するための切断刃（４）があるプレート（５）、および、該プレート（５）に結合した指掛け（６）、を備えるカッターにおいて、
前記プレート（５）の、常にベース部材（３）の前記案内空間（２）にある先端側（７ａ）は、前記案内空間（２）に対して出入りする後端側（８ａ）よりも、ｘ方向に幅広であり；前記ベース部材（３）は、ｙ方向に延び前記幅広の先端側（７ａ）を受け入れる溝（９ａ）を持ち、この溝（９ａ）は、前記プレート（５）の切断刃（４）が、前記開口（１）を外れた退避位置（図３の（ａ））から、開口（１）を横切った切断完了位置（図３の（ｂ））まで移動するときの前記幅広の先端側（７ａ）の移動は止めず、退避位置から更に退避移動方向への移動は止める長さである；ことを特徴とするカッター。
【０００６】
なお、理解を容易にするためにカッコ内には、図面に示し後述する実施例の対応又は相当要素又は部材の符号を、例示として参考までに付記した。以下も同様である。
【０００７】
プレート（５）の、常にベース部材（３）の前記案内空間（２）にある先端側（７ａ）は、ｘ方向に幅広であってベース部材（３）の溝（９ａ）に入り、この溝によって、プレート（５）は、その切断刃（４）が退避位置（図３の（ａ））から、開口（１）を横切った切断完了位置（図３の（ｂ））まで移動可に案内され、しかも、退避位置から更に退避移動方向への移動すなわち抜け落ちは止められる。したがって、切断刃の支持構造を簡素にできる。切断方向の、切断完了位置を更に越える移動は、指掛け（６）或いはそれをプレート（５）に固定する固定具（１１ａ，１２ａ）がベース部材（３）に当たることにより、あるいは溝端の段差にプレート（５）の幅広部が当たることにより、止められる。
【０００８】
【発明の実施の形態】
（２）前記指掛け（６）は、蝶番（１１）で、前記ベース部材（３）に倒伏した収納姿勢から、倒伏から起立しそして倒伏姿勢に対して略１８０度回動した使用姿勢に回動可に、前記プレート（５）に固着されている、上記（１）に記載のカッター。
【０００９】
蝶番（１１）による倒伏（閉じ），起立（開き）の回動構造は簡素かつ堅固であるので、カッターの収納形状がコンパクトになり、指掛け（６）とプレートとの結合の機械的強度が高く堅牢である。
【００１０】
（３）前記溝（９ａ）は、前記切断刃（４）が退避位置にあるときの前記幅広の先端側（７ａ）のｙ位置（１０ａ）から、前記ベース部材（３）の一端面まで延びる、上記（１）又は（２）に記載のカッター。
【００１１】
切断方向の、切断完了位置を更に越える移動は、指掛け（６）或いはそれをプレート（５）に固定する固定具（１１ａ，１２ａ）がベース部材（３）に当たることにより、あるいは溝端の段差にプレート（５）の幅広部が当たることにより、止められるので、溝（９ａ）がベース部材（３）の一端面まで延びても、そこから抜け出すことが無い。ベース部材（３）の一端面側からプレート（５）を挿入することができ、ベース部材（３）に対するプレート（５）の組付けを簡単にすることができる。
【００１２】
（４）ベース部材（３）の前記一端面から案内空間（２）に挿入されそれを通過した前記プレートの前記後端側（８ａ）に、前記指掛け（６）が組付けられ、組付け具がベース部材（３）の他端面に当たることにより、前記プレートの切断方向の移動によるベース部材（３）からの抜けが妨げられる、上記（３）に記載のカッター。
【００１３】
ベース部材（３）の一端面側からプレート（５）を挿入しても、ベース部材（３）を通過した後端側（８ａ）に指掛け（６）を組付けることにより、挿入の移動方向と逆の方向すなわち切断方向にプレート（５）を動かしても、組付け具がベース部材（３）の他端面に当たるので、プレート（５）が抜けが妨げられる。
【００１４】
（５）前記プレート，指掛けおよび溝を、前記開口の中心に関して略対称にｙ方向に相対向する配置で１対（５ａ／５ｂ，６ａ／６ｂ，９ａ／９ｂ）有し、対のプレート（５ａ／５ｂ）はｚ方向に重なり各先端部に略半円形の切断刃（４ａ／４ｂ）を持つ、上記（１）乃至（４）のいずれかに記載のカッター。
【００１５】
これによれば、指折りによるプレートの駆動が安定かつ滑らかになるとともに、切断のための指掛けの移動ストロークが、１個を備える場合の略１／２となるので、ベース部材の長さを短くして、収納形状をコンパクトにできる。
【００１６】
本発明の他の目的および特徴は、図面を参照した以下の実施例の説明より明らかになろう。
【００１７】
【実施例】
図１に、本発明の一実施例の、葉巻カッターの概観を示す。（ａ）は収納姿勢の平面図、（ｂ）は正面図、（ｃ）は右側面図、（ｄ）は背面図、（ｅ）は斜視図である。（ｆ）は、使用のため指掛け６ａ，６ｂを、（ｂ），（ｅ）に示す倒伏姿勢（収納姿勢）から、指で起立させそして更に回動させて倒伏姿勢から略１８０度回動させた開き姿勢（使用姿勢）にした正面図である。（ｇ）は、指掛け６ａに例えば親指を、指掛け６ｂに例えば人差し指を差し込んで、両指間を開いたときの、葉巻受け入れ姿勢を示す斜視図である。
【００１８】
先端に略半円弧状の穴刃である切断刃４ａが形成されたプレート５ａに、蝶番１１ａを介して指掛け６ａが固着されており、同様に、切断刃４ｂが形成されたプレート５ｂに、蝶番１１ｂを介して指掛け６ｂが固着されている。図１の（ａ）〜（ｆ）に示す状態では、プレート５ａ，５ｂは、横断面が矩形の扁平４角筒状のベース部材３の内部空間２に入っており、ベース部材３を貫通する葉巻受け入れ開口１は、プレート５ａ，５ｂで閉じられている。正面を示す（ｆ）では、開口１の内部に、プレート５ａの先端の切断刃４ａの一部が見えるが、正面を示す（ｂ）では、切断刃４ａは指掛け６ａの背部となり、見えていない。背面図（ｄ）では、開口１の内部に、プレート５ｂの先端の切断刃４ｂの一部が見える。（ｇ）に示す葉巻受け入れ姿勢では、プレート５ａ，５ｂが退避位置まで引き出され、これによりプレート５ａ，５ｂの先端の切断刃４ａ，４ｂは共に開口１の縁の外側（の退避位置）にあり、開口１は吹き抜けであり、そこに葉巻の先端を差し込むことができる。
【００１９】
図２の（ａ）に、図１の（ｇ）に示す葉巻受け入れ姿勢の拡大正面を示し、（ｂ）にその右側面を示す。扁平４角筒状のベース部材３の表裏面には、葉巻を受け入れる開口１があり、その中心軸は、ベース部材３の表裏面（ｘ，ｙ面）に直交するｚ軸に平行である。ベース部材３の、ｙ，ｚ平面に平行な短辺である側壁の内面には、プレート５ａ，５ｂの幅広先端を受け入れる、ｙ方向に延びる溝９ａ，９ｂがある。溝９ａは、ベース部材３の、指掛け６ｂ側の端面（ｘ，ｚ面）から、ベース部材３のｙ方向の中程で終わっており、溝９ａは逆に、ベース部材３の、指掛け６ａ側の端面（ｘ，ｚ面）から、ベース部材３のｙ方向の中程で終わっている。また、プレート５ａ，５ｂが、裁ち挟みの２つの刃の擦りあいと同様に擦りあうようにプレート５ａ，５ｂがｚ方向に重ねるために、溝９ａと９ｂは、ベース部材３のｙ方向の中程で、ｚ方向で接している。
【００２０】
図３に、ベース部材３と、一方のプレート５ａとの組み合せを、拡大して示す。図３の（ａ）は、葉巻受け入れ姿勢であり、図３の（ｂ）は、図１の（ｆ）と同様に、プレート５ａを収納位置（切断完了位置）に置いた姿勢を示す。プレート５ａの幅広先端７ａを受け入れる溝９ａは、ベース部材３の中程から、ベース部材３の一端部（指掛け６ｂ側端部）に延びそこで外に開いている。したがってベース部材３の中程には、溝９ａの始端である段差１０ａがある。
【００２１】
プレート５ａの後端側８ａの幅は、ベース部材３の内空間２のｘ方向の幅より僅かに狭いが、プレート５ａの先端７ａの幅は、内空間２のｘ方向の幅より広く、溝９ａの深さの２倍を内空間２のｘ方向の幅に加えた幅より僅かに狭い。したがって、プレート５ａは、プレート５ａの先端７ａが溝９ａの中にあるｙ範囲内でｙ方向に移動することができる。プレート５ａの、図３の（ｂ）から（ａ）への位置変更となる退避方向の移動は、プレート５ａの先端７ａが溝９ａの始端である段差１０ａに当たることにより、阻止される。これによってプレート５ａが止まった位置が、退避位置であり、このとき、プレート５ａの先端の切断刃４ａは、図３の（ａ）に示すように開口１の外に退避している。この状態で開口１に葉巻の先端を差し込んで、指掛け６ａをベース部材３に近づける方向に押すと、切断刃４ａが開口１をｙ方向に横切り、葉巻を切断する。しかし、図３の（ｂ）に示すように、押え板１２ａがベース部材の他端（指掛け６ａ側の端部）に当たるので、それ以上プレート５ａは切断方向に移動することはできない。これが切断完了位置である。この位置では、プレート５ａの先端７ａはベース部材３の内部に留まる。
【００２２】
蝶番１２ａの、軸芯を中心に相対的に開閉回動する２部材の一方に指入れ穴があけられて指掛け６ａが形成され、他方の部材は、押え板１２ａを受ける板形状の受台になっている。該受台と押え板１２ａにはそれぞれ２個のピン受穴がある。プレート５ａの後端側８ａの端部にも、それらのピン受穴に整合するピン通し穴がある。プレート５ａをベース部材３に組み付けるときには、蝶番１２ａをまだ固着していない後端側８ａから、ベース部材３の一端部側から溝９ａに差し込んで、ベース部材３の他端部側にプレート５ａの後端側８ａを突き出し、後端側８ａの端部を蝶番１１ａの受台で受けて、該端部に押え板１２ａを乗せて、３者（押え板１２ａ／プレート５ａ／蝶番１２ａの受台）にピン１３ａを圧入して、３者を一体に固定する。これによって、プレート５ａがベース部材３に組み付けられ、プレート５ａに指掛け６ａが固着されたことになる。
【００２３】
以上には、プレート５ａ，溝９ａ，蝶番１２ａおよび指掛け６ａの組み合せ関係を説明したが、他方のプレート５ｂ，溝９ｂ，蝶番１２ｂおよび指掛け６ｂの組み合せ及び組み付けも同様であり、これらは、図３の紙面をｘ軸を中心に廻して裏返しにして、裏から表の要素の符号のａをｂと書き換えた形であらわされるものである。説明も、上述の説明の要素符号のａをｂに置き換え、一端と他端を置き換えたものになる。したがって、これらの説明は省略する。
【図面の簡単な説明】
【図１】本発明の一実施例の概観を示す図面であり、（ａ）は収納姿勢を示す平面図、（ｂ）は正面図、（ｃ）は右側面図、（ｄ）は背面図、（ｅ）は斜視図である。（ｆ）は収納姿勢から、指掛け６ａ，６ｂを広げて指を掛ける姿勢にした正面図、（ｇ）はさらにプレート５ａ，５ｂを退避位置に駆動した姿勢を示す斜視図である。
【図２】（ａ）は、図１の（ｇ）に示す退避位置に駆動した姿勢での拡大正面図、（ｂ）はその右側面図である。
【図３】（ａ）は、図２の（ａ）に示すベース部材３，プレート５ａ，蝶番１１ａおよび指掛け６ａの部分を更に拡大して示す拡大正面図である。（ｂ）は、（ａ）に示すプレート５ａを切断完了位置に置いた状態の拡大正面図である。
【符号の説明】
１：開口　　　　　　　２：内空間
３：ベース部材　　　　４ａ，４ｂ：切断刃
５ａ，５ｂ：プレート　６ａ，６ｂ：指掛け
７ａ：プレートの先端　８ａ：後端側
９ａ，９ｂ：溝　　　　１０ａ：段差
１１ａ，１１ｂ：蝶番　１２ａ：押え板
１３ａ，１３ｂ：ピン
【図１】
2004113221.tif 000003
【図２】
2004113221.tif 000004
【図３】
2004113221.tif 000005